(57)【要約】【課題】小型化可能なプラグコネクタ、ソケットコネクタ及び電気コネクタ組立体を提供する。【解決手段】プラグコネクタは、第１方向に沿って延びる第１側部、第１方向と違う第２方向に沿って延びる第２側部、前記第１側部と対向する第３側部、前記第２側部と対向する第４側部及び前記第１ないし第４側部を含む第１モールド部、前記第１側部に配された第１サブ端子、前記第４側部に配された第２サブ端子及び前記第１サブ端子と前記第２サブ端子との間に配され、前記第１サブ端子と前記第２サブ端子を電気的に接続する第１連結部を含む第１端子及び前記第２側部に配され、前記第２サブ端子と対向し、前記第１端子と電気的に絶縁された第２端子を含む。【選択図】図２
2017139226.tif 000002
【特許請求の範囲】
【請求項１】
ソケットコネクタに挿入されるプラグコネクタにおいて、
第１方向に沿って延びる第１側部、第１方向と違う第２方向に沿って延びる第２側部、前記第１側部と対向する第３側部、前記第２側部と対向する第４側部及び前記第１ないし第４側部を含む第１モールド部と、
前記第１側部に配された第１サブ端子、前記第４側部に配された第２サブ端子及び前記第１サブ端子と前記第２サブ端子との間に配され、前記第１サブ端子と前記第２サブ端子を電気的に接続する第１連結部を含む第１端子と、
前記第２側部に配され、前記第２サブ端子と対向し、前記第１端子と電気的に絶縁された第２端子を含むプラグコネクタ。
【請求項２】
前記第３側部に配される第３サブ端子、前記第２側部に配される第４サブ端子及び前記第３サブ端子と前記第４サブ端子との間に配され、前記第３サブ端子と前記第４サブ端子を電気的に接続する第２連結部を含む第３端子と、
前記第２サブ端子と離隔して前記第４側部に配され、前記第４サブ端子と対向し、前記第３端子と電気的に絶縁された第４端子をさらに含む請求項１に記載のプラグコネクタ。
【請求項３】
前記第１モールド部は前記ソケットコネクタと締結される方向から見る時四角形状であり、前記第１端子と前記第３端子は前記四角形状を二つに分ける対角線を対称軸として線対称となる請求項２に記載のプラグコネクタ。
【請求項４】
前記第３端子と前記第４端子は、互いに異なる種類の電気信号が入出力される請求項２に記載のプラグコネクタ。
【請求項５】
前記第１端子と前記第３端子は電源電気信号が入出力され、前記第２端子と前記第４端子はデータ電気信号が入出力される請求項４に記載のプラグコネクタ。
【請求項６】
前記第２端子と前記第４端子は、互いに対面しない請求項２に記載のプラグコネクタ。
【請求項７】
前記第１サブ端子の一部は、前記第１側部の上面を囲み、前記第３サブ端子の一部は前記第３側部の上面を囲む請求項２に記載のプラグコネクタ。
【請求項８】
前記第２端子と前記第４サブ端子との間に配される複数の第１信号端子と、前記第２サブ端子と前記第４端子との間に配される複数の第２信号端子をさらに含む請求項２に記載
【請求項９】
プラグコネクタを収容するソケットコネクタにおいて、
第１方向に沿って延びる第５側部、第１方向と違う第２方向に沿って延びる第６側部、前記第５側部と対向する第７側部、前記第６側部と対向する第８側部及び前記第５ないし第８側部で形成され、前記プラグコネクタを収容するプラグコネクタ収容部を含む第２モールド部と、
前記第５側部に配された第５サブ端子、前記第６側部に配された第６サブ端子及び前記第５サブ端子と前記第６サブ端子との間に配され、前記第５サブ端子と前記第６サブ端子を電気的に接続する第３連結部を含む第５端子と、
前記第８側部に配され、前記第６サブ端子と対向し、前記第５端子と電気的に絶縁された第８端子を含むソケットコネクタ。
【請求項１０】
前記第７側部に配される第７サブ端子、前記第８側部に配される第８サブ端子及び前記第７サブ端子と前記第８サブ端子との間に配され、前記第７サブ端子と前記第８サブ端子を電気的に接続する第４連結部を含む第７端子と、
前記第６サブ端子と離隔して前記第６側部に配され、前記第８サブ端子と対向し、前記第７端子と電気的に絶縁された第６端子をさらに含む請求項９に記載のソケットコネクタ。
【請求項１１】
前記第２モールド部は、前記プラグコネクタが収容される方向から見る時四角形状であり、前記第５端子と前記第７端子は、前記四角形状を二つに分ける対角線を対称軸として線対称となる請求項１０に記載のソケットコネクタ。
【請求項１２】
前記第７端子と前記第６端子は、互いに異なる種類の電気信号が入出力される請求項１０に記載のソケットコネクタ。
【請求項１３】
前記第５端子と前記第７端子は電源電気信号が入出力され、前記第６端子と前記第８端子はデータ電気信号が入出力される請求項１２に記載のソケットコネクタ。
【請求項１４】
前記第６端子と前記第８端子は、互いに対面しない請求項１０に記載のソケットコネクタ。
【請求項１５】
前記第６サブ端子と前記第６端子との間に配される複数の第３信号端子と、前記第８端子と前記第８サブ端子との間に配される複数の第４信号端子をさらに含む請求項１０に記載のソケットコネクタ。
【請求項１６】
互いに締結されたプラグコネクタとソケットコネクタを含む電気コネクタ組立体において、
前記プラグコネクタは、
第１方向に沿って配される第１サブ端子、前記第１方向と違う第２方向に沿って配される第２サブ端子及び前記第１サブ端子と前記第２サブ端子を電気的に接続する第１連結部を含む第１端子と、
前記第２サブ端子と対向し、前記第１端子と電気的に絶縁された第２端子を含み、
前記ソケットコネクタは、
前記第１方向に沿って配される第５サブ端子、前記第２方向に沿って配される第６サブ端子及び前記第５サブ端子と前記第６サブ端子を電気的に接続する第３連結部を含む第５端子と、
前記第６サブ端子と対向し、前記第５端子と電気的に絶縁された第８端子を含み、
前記第１端子と前記第５端子は互いに接触して電気的に接続され、
前記第２端子と第８端子は互いに接触して電気的に接続される電気コネクタ組立体。
【請求項１７】
前記プラグコネクタは、
前記第２端子と離隔して前記第２方向に沿って配された第４サブ端子、前記第１サブ端子と対向して配された第３サブ端子及び前記第４サブ端子と前記第３サブ端子を電気的に接続する第２連結部を含む第３端子と、
前記第４サブ端子と対向して前記第３端子と電気的に絶縁された第４端子をさらに含み、
前記ソケットコネクタは、
前記第５サブ端子と対向する第７サブ端子、前記第８端子と離隔して前記第２方向に沿って配される第８サブ端子及び前記第７サブ端子と、前記第８サブ端子を電気的に接続する第４連結部を含む第７端子と、
前記第８サブ端子と対向して前記第６端子と電気的に絶縁された第６端子をさらに含み、
前記第３端子と前記第７端子は互いに接触して電気的に接続され、
前記第４端子は前記第６端子と互いに接触して電気的に接続され、
前記第３端子を介して入出力される電気信号は、前記第４端子を介して入出力される電気信号と異なる種類の電気信号である請求項１６に記載の電気コネクタ組立体。
【請求項１８】
前記第１サブ端子は前記第５サブ端子と対面接触し、前記第２サブ端子は第６サブ端子と対面接触し、
前記第３サブ端子は前記前記第７サブ端子と対面接触し、前記第４サブ端子は前記第８サブ端子と対面接触する前記請求項１６に記載の電気コネクタ組立体。
【請求項１９】
前記第６サブ端子は前記第２サブ端子の一部を囲んで前記第２サブ端子の二つの側壁と接触し、前記第８サブ端子は前記第４サブ端子の一部を囲んで前記第４サブ端子の二つの側壁と接触する請求項１８に記載の電気コネクタ組立体。
【請求項２０】
前記第１端子と前記第２端子を介して入出力される電気信号は電源電気信号であり、
前記第２端子と前記第４端子を介して入出力される電気信号はデータ電気信号である請求項１７に記載の電気コネクタ組立体。
【発明の詳細な説明】
【技術分野】
【０００１】
本発明はプラグコネクタ、ソケットコネクタ及び電気コネクタ組立体に関する。より詳細には本発明は小型化されたプラグコネクタ、ソケットコネクタ及び電気コネクタ組立体に関する。
【背景技術】
【０００２】
一般に、基板が相互連結される場合、半田リングのような方法によりそれぞれの基板と連結される二つのコネクタが使用され、前記二つのコネクタは互いに連結され得る。ここで、二つのコネクタのうち一つはプラグコネクタであり、残りの一つはソケットプラグである。プラグコネクタとソケットプラグは互いに締結されて電気コネクタ組立体を形成し得る。
【０００３】
特許文献１はコネクタ本体に取り付けられる補強器具を含むコネクタを開示している。需要者は端子のピッチをより狭く形成し、コネクタの全体的な高さを減少させ、小型化への要求がますます高まっている。さらに、コネクタは基板上の他の領域に配された電気素子のために十分なサイズの電源を供給することと共に小型化が求められている。
【０００４】
したがって、小型化が可能なプラグコネクタ、ソケットコネクタ及び電気コネクタ組立体の開発が要求される。
【先行技術文献】
【特許文献】
【０００５】
【特許文献１】大韓民国特許公開第２０１５−００６８９１９号
【発明の概要】
【発明が解決しようとする課題】
【０００６】
本発明が解決しようとする課題は、小型化が可能なプラグコネクタ、ソケットコネクタ及び電気コネクタ組立体を提供することにある。
【０００７】
本発明が解決しようとする他の課題は、プラグコネクタとソケットコネクタが強い締結力を有する電気コネクタ組立体を提供することにある。
【０００８】
本発明が解決しようとするまた他の課題は、以上で言及した課題に制限されず、言及されていないまた他の課題は、次の記載から当業者に明確に理解できるであろう。
【課題を解決するための手段】
【０００９】
＜プラグコネクタ＞
前述した技術的課題を解決するために、プラグコネクタに関し、本発明の一形態によるソケットコネクタに挿入されるプラグコネクタは、第１方向に沿って延びる第１側部、第１方向と違う第２方向に沿って延びる第２側部、前記第１側部と対向する第３側部、前記第２側部と対向する第４側部及び前記第１ないし第４側部を含む第１モールド部と、前記第１側部に配された第１サブ端子、前記第４側部に配された第２サブ端子及び前記第１サブ端子と前記第２サブ端子との間に配され、前記第１サブ端子と前記第２サブ端子を電気的に接続する第１連結部を含む第１端子と、前記第２側部に配され、前記第２サブ端子と対向し、前記第１端子と電気的に絶縁された第２端子を含む。
【００１０】
本発明の他の形態において、前記第３側部に配される第３サブ端子、前記第２側部に配される第４サブ端子及び前記第３サブ端子と前記第４サブ端子との間に配され、前記第３サブ端子と前記第４サブ端子を電気的に接続する第２連結部を含む第３端子と、前記第２サブ端子と離隔して前記第４側部に配され、前記第４サブ端子と対向し、前記第３端子と電気的に絶縁された第４端子をさらに含み得る。
【００１１】
本発明のさらに他の形態において、前記第１モールド部は前記ソケットコネクタと締結される方向から見るとき四角形状であり、前記第１端子と前記第３端子は前記四角形状を二つに分ける対角線を対称軸として線対称となる。
【００１２】
本発明のさらに他の形態において、前記第３端子と前記第４端子は互いに異なる種類の電気信号が入出力され得る。
【００１３】
本発明のさらに他の形態において、前記第１端子と前記第３端子は電源電気信号が入出力され、前記第２端子と前記第４端子はデータ電気信号が入出力され得る。
【００１４】
本発明のさらに他の形態において、前記第２端子と前記第４端子は互いに対面しなくてもよい。
【００１５】
本発明のさらに他の形態において、前記第１サブ端子の一部は前記第１側部の上面を囲み前記第３サブ端子の一部は前記第３側部の上面を囲み得る。
【００１６】
＜ソケットコネクタ＞
前述した技術的課題を解決するため、ソケットコネクタに関し、本発明の一形態によるプラグコネクタを収容するソケットコネクタは、第１方向に沿って延びる第５側部、第１方向と違う第２方向に沿って延びる第６側部、前記第５側部と対向する第７側部、前記第６側部と対向する第８側部及び前記第５ないし第８側部で形成され、前記プラグコネクタを収容するプラグコネクタ収容部を含む第２モールド部と、前記第５側部に配された第５サブ端子、前記第６側部に配された第６サブ端子及び前記第５サブ端子と前記第６サブ端子との間に配され、前記第５サブ端子と前記第６サブ端子を電気的に接続する第３連結部を含む第５端子と、前記第８側部に配されて前記第６サブ端子と対向し、前記第５端子と電気的に絶縁された第８端子を含む。
【００１７】
本発明の他の形態において、前記第７側部に配される第７サブ端子、前記第８側部に配される第８サブ端子及び前記第７サブ端子と前記第８サブ端子との間に配され、前記第７サブ端子と前記第８サブ端子を電気的に接続する第４連結部を含む第７端子と、前記第６サブ端子と離隔して前記第６側部に配され、前記第８サブ端子と対向し、前記第７端子と    電気的に絶縁された第６端子をさらに含み得る。
【００１８】
本発明のさらに他の形態において、前記第２モールド部は前記プラグコネクタが収容される方向から見るとき四角形状であり、前記第５端子と前記第７端子は前記四角形状を二つに分ける対角線を対称軸として線対称となる。
【００１９】
本発明のさらに他の形態において、前記第７端子と前記第６端子は互いに異なる種類の電気信号が入出力され得る。
【００２０】
本発明のさらに他の形態において、前記第５端子と前記第７端子は電源電気信号が入出力され、前記第６端子と前記第８端子はデータ電気信号が入出力され得る。
【００２１】
本発明のさらに他の形態において、前記第６端子と前記第８端子は互いに対面しなくてもよい。
【００２２】
＜電気コネクタ組立体＞
前述した技術的課題を解決するため、電気コネクタ組立体に関し、本発明の一形態による互い締結されたプラグコネクタとソケットコネクタを含む電気コネクタ組立体において、前記プラグコネクタは、第１方向に沿って配される第１サブ端子、前記第１方向と違う第２方向に沿って配される第２サブ端子及び前記第１サブ端子と前記第２サブ端子を電気的に接続する第１連結部を含む第１端子と、前記第２サブ端子と対向し、前記第１端子と電気的に絶縁された第２端子を含み、前記ソケットコネクタは、前記第１方向に沿って配される第５サブ端子、前記第２方向に沿って配される第６サブ端子及び前記第５サブ端子と前記第６サブ端子を電気的に接続する第３連結部を含む第５端子と、前記第６サブ端子と対向し、前記第５端子と電気的に絶縁された第８端子を含み、前記第１端子と前記第５端子は互いに接触して電気的に接続され、前記第２端子と第８端子は互いに接触して電気的に接続される。
【００２３】
本発明の他の形態において、前記プラグコネクタは、前記第２端子と離隔して前記第２方向に沿って配された第４サブ端子、前記第１サブ端子と対向して配された第３サブ端子及び前記第４サブ端子と前記第３サブ端子を電気的に接続する第２連結部を含む第３端子と、前記第４サブ端子と対向して前記第３端子と電気的に絶縁された第４端子をさらに含み、前記ソケットコネクタは、前記第５サブ端子と対向する第７サブ端子、前記第８端子と離隔して前記第２方向に沿って配される第８サブ端子及び前記第７サブ端子と、前記第８サブ端子を電気的に接続する第４連結部を含む第７端子と、前記第８サブ端子と対向して前記第６端子と電気的に絶縁された第６端子をさらに含み、前記第３端子と前記第７端子は互いに接触して電気的に接続され、前記第４端子は前記第６端子と互いに接触して電気的に接続され、前記第３端子を介して入出力される電気信号は、前記第４端子を介して入出力される電気信号と異なる種類の電気信号であり得る。
【００２４】
本発明のさらに他の形態において、前記第１サブ端子は前記第５サブ端子と対面接触し、前記第２サブ端子は第６サブ端子と対面接触し、前記第３サブ端子は前記前記第７サブ端子と対面接触し、前記第４サブ端子は前記第８サブ端子と対面接触し得る。
【００２５】
本発明のさらに他の形態において、前記第６サブ端子は、前記第２サブ端子の一部を囲んで前記第２サブ端子の二つの側壁と接触し、前記第８サブ端子は前記第４サブ端子の一部を囲んで前記第４サブ端子の二つの側壁と接触し得る。
【００２６】
本発明のさらに他の形態において、前記第１端子と前記第２端子を介して入出力される電気信号は電源電気信号であり、前記第２端子と前記第４端子を介して入出力される電気信号はデータ電気信号であり得る。
【００２７】
本発明のその他具体的な内容は詳細な説明及び図面に含まれている。
【発明の効果】
【００２８】
本発明によるプラグコネクタ及びソケットコネクタは、モールド部の二つの側部にかけて形成される端子を含むため、小型化が可能である。
【００２９】
さらに、本発明による電気コネクタ組立体は前記プラグコネクタとソケットコネクタを含むため、小型化が可能である。
【図面の簡単な説明】
【００３０】
【図１】本発明のいくつかの実施形態によるプラグコネクタを示す斜視図である。
【図２】本発明のいくつかの実施形態によるプラグコネクタが含む端子を示す斜視図である。
【図３】本発明のいくつかの実施形態によるプラグコネクタを示す平面図である。
【図４】本発明のいくつかの実施形態によるソケットコネクタを示す斜視図である。
【図５】本発明のいくつかの実施形態によるソケットコネクタが含む端子を示す斜視図である。
【図６】本発明のいくつかの実施形態によるソケットコネクタを示す平面図である。
【図７】本発明のいくつかの実施形態による電気コネクタ組立体を示す斜視図である。
【図８】本発明のいくつかの実施形態による電気コネクタ組立体において、プラグコネクタとソケットコネクタの結合過程を説明するためにＡ−Ａ線に沿って切断した断面図である。
【図９】本発明のいくつかの実施形態による電気コネクタ組立体において、プラグコネクタとソケットコネクタの結合状態を説明するためにＡ−Ａ線に沿って切断した断面図である。
【図１０】本発明のいくつかの実施形態による電気コネクタ組立体において、プラグコネクタとソケットコネクタの結合過程を説明するためにＢ−Ｂ線に沿って切断した断面図である。
【図１１】本発明のいくつかの実施形態による電気コネクタ組立体において、プラグコネクタとソケットコネクタの結合状態を説明するためにＢ−Ｂ線に沿って切断した断面図である。
【図１２】本発明のいくつかの実施形態によるプラグコネクタを示す斜視図である。
【図１３】本発明のいくつかの実施形態によるプラグコネクタが含む端子を示す斜視図である。
【図１４】本発明のいくつかの実施形態によるソケットコネクタを示す斜視図である。
【図１５】本発明のいくつかの実施形態によるソケットコネクタが含む端子を示す斜視図である。
【発明を実施するための形態】
【００３１】
本発明の利点及び特徴、これらを達成する方法は添付する図面と共に詳細に後述する実施形態において明確になるであろう。しかし、本発明は、以下で開示する実施形態に限定されるものではなく、互いに異なる多様な形態で実現されるものであり、本実施形態は、単に本発明の開示を完全にし、本発明が属する技術分野で通常の知識を有する者に発明の範疇を完全に知らせるために提供されるものであり、本発明は、請求項の範囲によってのみ定義される。明細書全体にかけて同一参照符号は同一構成要素を指称する。
【００３２】
一つの構成要素が他の構成要素と「接続された」と指称されるものは、他の構成要素と直接連結または中間に他の構成要素を介在する場合をすべて含む。反面、一つの素子が他の素子と「直接接続された」と指称されるものは中間に他の素子を介在しないことを示す。「及び／または」は、言及されたアイテムの各々及び一つ以上のすべての組合せを含む。
【００３３】
構成要素が他の構成要素の「上」と指称された場合、他の構成要素の真上にだけでなく中間に他の構成要素を介在する場合のすべてを含む。反面、構成要素が「直接の上」または「真上」と指称される場合は、中間に他の素子または層を介在しないことを示す。
【００３４】
空間的に相対的な用語である「下」、「下部」、「上」、「上部」などは図面に示すように一つの構成要素と他の構成要素との相関関係を容易に記述するために使用され得る。空間的に相対的な用語は、図面に示す方向に加え、使用時または動作時の素子の互いに異なる方向を含む用語として理解しなければならない。例えば、図面に示す素子をひっくり返す場合、他の素子の「下」と記述された素子は他の素子の「上」に置かれる。したがって、例示的な用語である「下」は下と上の方向をすべて含み得る。素子は他の方向にも配向し得、これにより空間的に相対的な用語は配向によって解釈される。
【００３５】
本明細書で使用された用語は実施形態を説明するためであり、本発明を制限しようとするものではない。本明細書で、単数型は文句で特に言及しない限り複数型も含む。明細書で使用される「含む」は言及された構成要素、段階、動作及び／または素子は一つ以上の他の構成要素、段階、動作及び／または素子の存在または追加を排除しない。
【００３６】
第１、第２などが多様な素子、構成要素を叙述するために使用されるが、これら素子、構成要素はこれらの用語によって制限されないことはいうまでもない。これらの用語は、単に一つ構成要素を他の構成要素と区別するために使用するものである。したがって、以下で言及される第１構成要素は本発明の技術的思想内で第２構成要素であり得ることは勿論である。
【００３７】
他に定義されなければ、本明細書で使用されるすべての用語（技術及び科学的用語を含む）は、本発明が属する技術分野で通常の知識を有する者に共通に理解できる意味で使用される。また一般的に使用される辞書に定義されている用語は特別に定義して明らかにしない限り理想的にまたは過度に解釈されない。
【００３８】
以下で、図１ないし図３を参照して本発明のいくつかの実施形態によるプラグコネクタについて説明する。
【００３９】
図１は本発明のいくつかの実施形態によるプラグコネクタを示す斜視図である。図２は本発明のいくつかの実施形態によるプラグコネクタが含む端子を示す斜視図である。図３は本発明のいくつかの実施形態によるプラグコネクタを示す平面図である。
【００４０】
図１ないし図３を参照すれば、プラグコネクタ１００は第１モールド部１１０、第１端子１２０、第２端子１４０、第３端子１３０及び第４端子１５０を含む。また、図１を参照すれば、第１モールド部１１０は第１側部１１１、第２側部１１２、第３側部１１３及び第４側部１１４を含み得る。第１側部１１１、第２側部１１２、第３側部１１３及び第４側部１１４は互いに連結され得る。すなわち、第１側部１１１と第３側部１１３の各々は第２側部１１２と第４側部１１４の一側と他側に連結されて第１モールド部１１０を形成し得る。
【００４１】
第１側部１１１と第３側部１１３は第１方向Ｙ１に沿って延びる。第２側部１１２及び第４側部１１４は第２方向Ｘ１に沿って延びる。第１側部１１１は第３側部１１３と互いに対向し、第２側部１１２と第４側部１１４は互いに対向する。
【００４２】
第１モールド部１１０は樹脂及びエポキシなどを含む絶縁体で形成され得るが、これに制限されない。
【００４３】
再び図１を参照すれば、第１側部１１１には第１端子１２０の一部が配され、第２側部１１２には第２端子１４０と第３端子１３０の一部が配され得る。また、第３側部１１３には第３端子１３０の一部が配され、第４側部１５０には第４端子１５０と第１端子１２０の一部が配され得る。
【００４４】
図２を参照して第１ないし第４端子（１２０、１４０、１３０、１５０）の配置及び形態についてより詳細に説明する。図２は図１に比べ、第１ないし第４端子（１２０、１４０、１３０、１５０）を説明するために第１モールド部１１０を省略した。
【００４５】
図１と図２を参照すれば、第１端子１２０は第１サブ端子１２１、第２サブ端子１２３及び第１連結部１２２を含む。第１サブ端子１２１は第１側部１１１に配され、第２サブ端子１２３は第４側部１１４に配され得る。第２端子１４０は第２側部１１２に配され、第２サブ端子１２３と互いに対向する。第３サブ端子１３１は第３側部１１３に配され、第１サブ端子１２１と互いに対向し、第４サブ端子１３３は第２側部１１２に配され、第４端子１５０と互いに対向し得る。第４端子１５０は第４側部１１４に配され、第４サブ端子１３３と互いに対向し得る。
【００４６】
また、第１サブ端子１２１は第１側部１１１の側面及び上面を覆い、第２サブ端子１２３は第４側部１１４の上面及び側面を覆い、第４側部１１４の少なくとも一部を囲み得る。したがって、第１サブ端子１２１は第１側部１１１の上面及び外側面を介して露出され、第２サブ端子１２３は第４側部１１４の内側壁、外側壁及び上面上で露出され得る。
【００４７】
第２端子１４０は第２側部１１２の上面及び側面を覆い、第２側部１１２の少なくとも一部を囲み、第２側部１１２の内側壁、外側壁及び上面上で露出され得る。
【００４８】
第３サブ端子１３１は第３側部１１３の側面及び上面を覆い、第３側部の上面及び外側壁を介して露出され得る。第４サブ端子１３３は第２側部１１２の上面及び側面を覆い、第２側部１１２の少なくとも一部を囲み、第２側部１１２の内側壁、外側壁及び上面上で露出され得る。
【００４９】
第４端子１５０は第４側部１１４の上面及び側面を覆い、第４側部１１４の少なくとも一部を囲み、第４側部１１４の内側壁、外側壁及び上面上で露出され得る。
【００５０】
第２サブ端子１２３、第２端子１４０、第４サブ端子１３３及び第４端子１５０は各々が配された側部の内側壁及び外側壁を介して外部に露出されるため、プラグコネクタ１００と締結されるソケットコネクタが含む端子と接触して電気的信号を送受信することができる。また、第１サブ端子１２１と第３サブ端子１３１の各々は第１側部１１１と第３側部１１３の上面を介して露出されるので、プラグコネクタ１００がソケットコネクタに挿入時に第１モールド部１１０、より具体的には第１側部１１１と第３側部１１３の潰れることを防止することができる。
【００５１】
第１サブ端子１２１と第３サブ端子１３１は、各々が配された側部の外側壁を介して外部に露出され、プラグコネクタ１００と締結されるソケットコネクタが含む端子と接触して電気的信号を送受信し得る。
【００５２】
第２サブ端子１２３は第４側部１１４の上面及び側面を覆い、第４側部１１４の少なくとも一部を囲み得る。したがって、第２サブ端子１２３は第４側部１１４の内側壁と外側壁上で露出され得る。
【００５３】
第２端子１４０は第２側部１１２の上面及び側面を覆い、第２側部１１２の少なくとも一部を囲み、第２側部１１２の内側壁と外側壁上で露出され得る。
【００５４】
一方、第１サブ端子１２１が第１方向Ｙ１に沿って配されると、第２サブ端子１２３と第４端子１５０は第２方向Ｘ１に沿って配される。また、第３サブ端子１３１が第１方向Ｙ１に沿って配されると、第４サブ端子１３３と第２端子１４０は第２方向Ｘ１を沿って配され得る。
【００５５】
また、本発明において、第１モールド部１１０はプラグコネクタ１００の上面から見るとき四角形状であり得る。したがって、第１端子１２０と第３端子１３０は、第１側部１１１と第２側部１１２が連結される地点から第３側部１１３と第４側部１１４が連結される地点に連結される対角線を対称軸として線対称となる。
【００５６】
また、第２端子１４０と第４端子１５０は互いに対面しなくてもよい。
【００５７】
第１サブ端子１２１と第２サブ端子１２３は第１連結部１２２を介して物理的に連結され、第１連結部１２２を介して同じ電気的信号を入出力し得る。第３サブ端子１３１と第４サブ端子１３３は第２連結部１３２を介して物理的に連結され、第２連結部１３２を介して同じ電気的信号を入出力し得る。
【００５８】
本発明において、第１端子１２０は第２端子１４０と異なる種類の電気的信号を送受信し得る。また、第３端子１３０は第４端子１５０と異なる種類の電気的信号を送受信し得る。
【００５９】
本発明において、第１端子１２０と第３端子１３０はプラグコネクタ１００が配されるボードなどに電源を供給する。すなわち、第１端子１２０と第３端子１３０は電源電気信号を入出力し得る。第１端子１２０と第３端子１３０は互いに異なる極性を有する電源電気信号を入出力し得る。したがって、第１端子１２０がプラス電源端子である場合、第３端子１３０はマイナス電源端子であり得る。
【００６０】
これとは異なり、第２端子１４０と第４端子１５０は前記ボード上の他の領域上に配される電気素子などにデータを伝達するデータ電気信号を入出力する。ただし、第２端子１４０と第４端子１５０が同一のデータ電気信号を入出力するのではなく、必要に応じて互いに異なる種類のデータ電気信号を入出力し得る。
【００６１】
第１ないし第４端子（１２０、１３０、１４０、１５０）の各々は銅などを含む金属物質で形成されるが、これに制限されない。
【００６２】
本発明において、第１端子１２０と第３端子１３０の各々は二つの側部にかけて形成される。したがって、三つの側部にかけて形成される場合に比べて相対的にプラグコネクタの小型化が可能である。また、第１端子１２０と第３端子１３０の各々は二つの側部にかけて形成されるため、プラグコネクタ１００と連結されたボード及び電子素子に十分なサイズの電源を供給し得る。
【００６３】
再び図２及び図３を参照すれば、第１ないし第４端子（１２０、１４０、１３０、１５０）の各々はプラグコネクタ１００が配されるボードなどとの結合のため第１ないし第４半田領域（１２３ｂ、１４０ｂ、１３３ｂ、１５０ｂ）を含み得る。第１ないし第４半田領域（１２３ｂ、１４０ｂ、１３３ｂ、１５０ｂ）に半田が配され、プラグコネクタ１００とボード間の結合力を維持し得る。
【００６４】
また、第１端子１２０は第１留め金１２１ａを含み、第３端子１３０は第２留め金１３１ａを含み得、第１留め金１２１ａと第２留め金１３１ａを介してプラグコネクタ１００とソケットプラグと間の結合力を向上させることができる。詳細な内容については後述する。
【００６５】
また、第２サブ端子１２３は第１締結溝１２３ａを含み、第４端子１５０は第４締結溝１５０ａを含む。図面に示していないが、第２端子１４０と第３サブ端子１３１も第１締結溝１２３ａと同じ形態の締結溝を含み得る。このような締結溝を介してプラグコネクタ１００とソケットプラグとの間の結合力を向上させることができる。詳細な内容については後述する。
【００６６】
次いで、図４ないし図６を参照して本発明のいくつかの実施形態によるソケットコネクタについて説明する。
【００６７】
図４は本発明のいくつかの実施形態によるソケットコネクタを示す斜視図である。図５は本発明のいくつかの実施形態によるソケットコネクタが含む端子を示す斜視図である。図６は本発明のいくつかの実施形態によるソケットコネクタを示す平面図である。
【００６８】
図４ないし図６を参照すれば、ソケットコネクタ２００は第２モールド部２１０、第５端子２２０、第６端子２５０、第７端子２３０及び第８端子２４０を含む。また、再び図４を参照すれば、第２モールド部２１０は第５側部２１１、第６側部２１２、第７側部２１３及び第８側部２１４を含み得る。第５側部２１１、第６側部２１２、第７側部２１３及び第８側部２１４は互いに連結され得る。すなわち、第５側部２１１と第７側部２１３の各々は第６側部２１２と第８側部２１４の一側と他側に連結されて第２モールド部２１０を形成し得る。
【００６９】
第５側部２１１と第７側部２１３は第１方向Ｙ１に沿って延びる。第６側部２１２及び第８側部２１４は第２方向Ｘ１に沿って延びる。第５側部２１１は第７側部２１３と互いに対向し、第６側部２１２と第８側部２１４は互いに対向する。
【００７０】
第２モールド部２１０は樹脂及びエポキシなどを含む絶縁体で形成されるが、これに制限されない。
【００７１】
再び図４を参照すれば、第５側部２１１には第５端子２２０の一部が配され、第６側部２１２には第５端子２２０の残りの一部と第６端子２５０が配される。また、第７側部２１３には第７端子２３０の一部が配され、第８側部２１４には第８端子２４０と第７端子２３０の一部が配される。
【００７２】
図５を参照して第５ないし第８端子（２２０、２３０、２４０、２５０）の配置及び形態についてより詳細に説明する。図４に比べて図５は第５ないし第８端子（２２０、２３０、２４０、２５０）を説明するために第２モールド部２１０を省略した。
【００７３】
第５端子２２０は第５サブ端子２２１、第６サブ端子２２３及び第３連結部２２２を含む。第５サブ端子１２１は第５側部２１１に配され、第６サブ端子２２３は第６側部２１２に配され得る。第３連結部２２２を介して第５サブ端子２２１と第６サブ端子２２３は物理的に連結されて同じ電気的信号を入出力し得る。第６サブ端子２２３は互いに対向する第５ベンディング部２２３ｂと第５突出部２２３ａを含み得る。第５ベンディング部２２３ｂと第５突出部２２３ａを介してソケットコネクタ２００に挿入されるプラグコネクタ１００の端子と少なくとも二つの地点で接触し得る。
【００７４】
第６端子２５０は第６側部２１２に配される。第６端子２５０は第６ベンディング部２５０ｂと第６突出部２５０ａを含み得る。
【００７５】
第７端子２３０は第７サブ端子２３１、第８サブ端子２３３及び第４連結部２３２を含む。第７サブ端子２３１は第７側部２１３に配され、第８サブ端子２３３は第８側部２１４に配される。第４連結部２３２を介して第７サブ端子２３１は第８サブ端子２３３と物理的に連結されて同じ電気的信号を入出力し得る。第８サブ端子２３３は互いに対向する第７ベンディング部２３３ｂと第７突出部２３３ａを含み得る。
【００７６】
第８端子２４０は第８側部２１４に配され、第６サブ端子２２３と互いに対向する。第８端子２４０は互いに対向する第８ベンディング部２４０ａと第８突出部２４０ｂを含み得る。
【００７７】
一方、第５サブ端子２２１が第１方向Ｙ１に沿って配されると、第６サブ端子２２３と第６端子２５０は第２方向Ｘ１に沿って配される。また、第７サブ端子２３１が第１方向Ｙ１に沿って配されると、第８サブ端子２３３と第８端子２４０は第２方向Ｘ１に沿って配される。
【００７８】
また、本発明において、第２モールド部２１０はソケットコネクタ２００の上面から見るとき四角形状であり得る。したがって、第５端子２２０と第７端子２３０は、第５側部２１１と第８側部２１４が連結される地点から第６側部２１２と第７側部２１３が連結される地点に連結される対角線を対称軸として線対称となる。
【００７９】
また、第６端子２５０と第８端子２４０は互いに対面しなくてもよい。
【００８０】
本発明において、第５端子２２０は第８端子２４０と異なる種類の電気的信号を送受信し得る。また、第７端子２３０は第６端子２５０と異なる種類の電気的信号を送受信し得る。
【００８１】
本発明において、第５端子２２０と第７端子２３０はソケットコネクタ２００が配されるボードなどに電源を供給する。すなわち、第５端子２２０と第７端子２３０は電源電気信号を入出力し得る。第５端子２２０と第７端子２３０は互いに異なる極性を有する電源電気信号を入出力し得る。したがって、第５端子２２０がプラス電源端子である場合、第７端子２３０はマイナス電源端子であり得、これと反対であり得る。
【００８２】
これとは異なり、第６端子２５０と第８端子２４０は前記ボード上の他の領域上に配される電気素子などにデータを伝達するデータ電気信号を入出力し得る。ただし、第６端子２５０と第８端子２４０が同じデータ電気信号を入出力するのではなく、必要に応じて互いに異なる種類のデータ電気信号を入出力し得る。
【００８３】
第５ないし第８端子（２２０、２３０、２４０、２５０）の各々は銅などを含む金属物質で形成されるが、これに制限されない。
【００８４】
本発明において、第５端子２２０と第７端子２３０の各々は二つの側部にかけて形成される。したがって、三つの側部にかけて形成される場合に比べて相対的にソケットコネクタ２００の小型化が可能である。また、第５端子２２０と第７端子２３０の各々は二つの側部にかけて形成されるため、ソケットコネクタ２００と連結されたボード及び電子素子に十分なサイズの電源を供給し得る。
【００８５】
また、第５端子２２０は第５留め突起２２１ａを含み、図１のプラグコネクタ１００の挿入時、第１留め金１２１ａと第５留め突起２２１ａは互いに接して締結力を強化させる。第７端子２３０は第７留め突起２３１ａを含み、図１のプラグコネクタ１００の挿入時第２留め金１３１ａと第７留め突起２３１ａは互いに接して締結力を強化させることができる。詳細な内容については後述する。
【００８６】
次いで、図７ないし図１１を参照して本発明のいくつかの実施形態による電気コネクタ組立体について説明する。
【００８７】
図７は本発明のいくつかの実施形態による電気コネクタ組立体を示す斜視図である。図８は本発明のいくつかの実施形態による電気コネクタ組立体において、プラグコネクタとソケットコネクタの結合過程を説明するためにＡ−Ａ線に沿って切断した断面図である。図９は本発明のいくつかの実施形態による電気コネクタ組立体において、プラグコネクタとソケットコネクタの結合状態を説明するためにＡ−Ａ線に沿って切断した断面図である。図１０は本発明のいくつかの実施形態による電気コネクタ組立体において、プラグコネクタとソケットコネクタの結合過程を説明するためにＢ−Ｂ線に沿って切断した断面図である。図１１は本発明のいくつかの実施形態による電気コネクタ組立体において、プラグコネクタとソケットコネクタの結合状態を説明するためにＢ−Ｂ線に沿って切断した断面図である。
【００８８】
本実施形態による電気コネクタ組立体は、図１ないし図３を参照して説明したプラグコネクタ１００と図４ないし図６を参照して説明したソケットコネクタ２００が結合したものである。したがって、同一の参照番号は同一の構成要素を指称し、同一の構成要素に関する重複する説明は省略する。
【００８９】
先ず、図７を参照すれば、第１モールド部１１０は図１の第１モールド部１１０とは異なり第２モールド部２１０内への挿入のためにひっくり返した形状である。
【００９０】
図８及び図９を参照すれば、第２サブ端子１２３と第２端子１４０は点線方向に第２モールド２１０内に挿入され、各々第６サブ端子２２３と第８端子２４０と接触する。具体的には、第２締結溝１４０ａ内に第８突出部２４０ｂが配され、第２端子１４０は第８突出部２４０ｂと第８ベンディング部２４０ａの少なくとも二つの地点で接触する。また、第１締結溝１２３ａ内に第５突出部２２３ａが配され、第２サブ端子１２３は第５突出部２２３ａと第５ベンディング部２２３ｂの少なくとも二つの地点で接触し得る。
【００９１】
図１０及び図１１を参照すれば、第１サブ端子１２１と第３サブ端子１３１は点線方向に第２モールド２１０内に挿入され、各々第５サブ端子２２１と第７サブ端子２３１と接触する。また、第７留め突起２３１ａと第２留め金１３１ａは互いに対向する。図面には第７留め突起２３１ａと第２留め金１３１ａが互いに離隔している場合を示されているが、第７留め突起２３１ａと第２留め金１３１ａは互いに接触し得る。第５留め突起２２１ａと第１留め金１２１ａは互いに対向する。図面上には第５留め突起２２１ａと第１留め金１２１ａが互いに離隔している場合を示しているが、第５留め突起２２１ａと第１留め金１２１ａは互いに接触し得る。
【００９２】
次いで、図１２及び図１３を参照して本発明のいくつかの実施形態によるプラグコネクタについて説明する。
【００９３】
本実施形態によるプラグコネクタは、図１ないし図３を参照して説明したプラグコネクタに比べて第２端子と第３サブ端子との間に複数の第１信号端子を含み、第２サブ端子と第４端子との間に、複数の第２信号端子を含むことを除いては実質的に同様である。したがって、同一の参照番号は同一の構成要素を指称し、同一の構成要素に関する重複する説明は省略する。
【００９４】
図１２は本発明のいくつかの実施形態によるプラグコネクタを示す斜視図である。図１３は本発明のいくつかの実施形態によるプラグコネクタが含む端子を示す斜視図である。
【００９５】
図１２ないし図１３を参照すれば、本実施形態によるプラグコネクタは第１モールド部１１０、第１端子１２０、第２端子１４０、第３端子１３０及び第４端子１５０を含む。第１端子１２０は第１サブ端子１２１、第２サブ端子１２３及び第１連結部１２２を含み、第３端子１３０は第３サブ端子１３１、第４サブ端子１３３及び第２連結部１３２を含む。
【００９６】
さらに、第２端子１４０と第４サブ端子１３３との間に複数の第１信号端子１７０を含み、第４端子１５０と第２サブ端子１２３との間に複数の第２信号端子１６０を含む。複数の第２信号端子１６０の各々は信号端子締結溝１６０ａを含み得、図面に示していないが、複数の第１信号端子１７０も信号端子締結溝１６０ａと類似の信号端子締結溝を含み得る。
【００９７】
複数の第１信号端子１７０と複数の第２信号端子１６０の各々は同一または互いに異なる電気的信号を入出力し得る。一方、複数の第１信号端子１７０の各々と複数の第２信号端子１６０の各々が互いに対向する場合を示しているが、これに制限されない。また、第１信号端子１７０と第２信号端子１６０の各々が五個ずつである場合を図面に示しているが、本発明の技術的思想はこれに制限されない。すなわち、発明の必要と目的に応じて第１信号端子１７０と第２信号端子１６０の個数は多様に調節することができる。
【００９８】
次いで、図１４及び図１５を参照して本発明のいくつかの実施形態によるソケットコネクタについて説明する。
【００９９】
本実施形態によるソケットコネクタは図４ないし図６を参照して説明したソケットコネクタに比べて第２端子と第３サブ端子との間に複数の第１信号端子を含み、第２サブ端子と第４端子との間に複数の第２信号端子を含むことを除いては実質的に同様である。したがって、同一の参照番号は同一の構成要素を指称し、同一の構成要素に関する重複する説明は省略する。
【０１００】
図１４は本発明のいくつかの実施形態によるソケットコネクタを示す斜視図である。図１５は本発明のいくつかの実施形態によるソケットコネクタが含む端子を示す斜視図である。
【０１０１】
図１４及び図１５を参照すれば、本実施形態によるソケットコネクタは、第２モールド部２１０、第５端子２２０、第６端子２５０、第７端子２３０及び第８端子２４０を含む。第５端子２２０は第５サブ端子２２１、第６サブ端子２２３及び第３連結部２２２を含む。第７端子２３０は第７サブ端子２３１、第８サブ端子２３３及び第４連結部２３２を含む。
【０１０２】
さらに、第６端子２５０と第６サブ端子２２３との間に複数の第３信号端子２７０を含み、第８端子２４０と第８サブ端子２３３との間に複数の第４信号端子２６０を含む。複数の第３信号端子２７０の各々は第３信号端子突出部２７０ａと第３信号端子ベンディング部２７０ｂを含み、複数の第４信号端子２６０も第３信号端子突出部２７０ａと類似の第４信号端子突出部と第３信号端子ベンディング部２７０ｂと類似の第４信号端子ベンディング部２６０ｂを含み得る。
【０１０３】
複数の第３信号端子２７０と複数の第４信号端子２６０の各々は同一または互いに異なる電気的信号を入出力し得る。一方、複数の第３信号端子２７０の各々と複数の第４信号端子２６０の各々が互いに対向する場合を示しているが、これに制限されない。また、第３信号端子２７０と第４信号端子２６０の各々が五個ずつの場合を図面に示しているが、本発明の技術的思想がこれに制限されない。すなわち、発明の必要と目的に応じて第３信号端子２７０と第４信号端子２６０の個数は多様に調節することができる。
【０１０４】
以上、本発明の多様な実施形態によるプラグコネクタ、ソケットコネクタ及び電気コネクタ組立体について説明した。前述した説明においてプラグコネクタ及びソケットコネクタがボードまたは基板上に配されているものと仮定して説明したが、本発明はこれに制限されない。すなわち、本発明によるプラグコネクタ及びソケットコネクタはプリント回路基板、フレキシブルフラットケーブル、フレキシブル回路基板などを含む多様な種類の基板及びケーブル上に配され得る。
【０１０５】
以上添付する図面を参照して本発明の実施形態について説明したが、本発明が属する技術分野で通常の知識を有する者は、本発明がその技術的思想や必須の特徴を変更しない範囲で他の具体的な形態で実施できることを理解できるであろう。したがって、上記実施形態はすべての面で例示的なものであり、限定的なものではないと理解しなければならない。
【符号の説明】
【０１０６】
１１０  第１モールド
１２０  第１端子
１４０  第２端子
１３０  第３端子
１５０  第４端子
２１０  第１モールド
２２０  第５端子
２５０  第６端子
２３０  第７端子
２４０  第８端子
【図１】
2017139226.tif 000003
【図２】
2017139226.tif 000004
【図３】
2017139226.tif 000005
【図４】
2017139226.tif 000006
【図５】
2017139226.tif 000007
【図６】
2017139226.tif 000008
【図７】
2017139226.tif 000009
【図８】
2017139226.tif 000010
【図９】
2017139226.tif 000011
【図１０】
2017139226.tif 000012
【図１１】
2017139226.tif 000013
【図１２】
2017139226.tif 000014
【図１３】
2017139226.tif 000015
【図１４】
2017139226.tif 000016
【図１５】
2017139226.tif 000017